(57)【要約】【課題】簡単な構造で任意の場所に固定することができる非接触充電装置を提供する。【解決手段】被充電装置２に対して非接触で電力を供給するための非接触充電装置１であって、外部から電力を取得する本体部２０と、本体部２０において取得された電力を被充電装置２に送電するためのコイル３０を有する送電部４０と、を備え、送電部４０は、コイル３０が設けられ、かつ、当該コイル３０に対応する位置に被充電装置２を載置するための載置面Ａ１を有する第一送電部４１と、本体部２０をＺ軸方向に第一送電部４１とともに挟み込む第二送電部４２と、を有し、第一送電部４１および第二送電部４２は、本体部２０に対して、Ｚ軸方向に交差するＸ軸プラス方向に向けてスライド可能である。【選択図】図２
2015019473.tif 000002
【特許請求の範囲】
【請求項１】
被充電装置に対して非接触で電力を供給するための非接触充電装置であって、
外部から電力を取得する本体部と、
前記本体部において取得された電力を前記被充電装置に送電するためのコイルを有する送電部と、
を備え、
前記送電部は、
前記コイルが設けられ、かつ、当該コイルに対応する位置に前記被充電装置を載置するための載置面を有する第一送電部と、
前記本体部を第一方向に前記第一送電部とともに挟み込む第二送電部と、
を有し、
前記第一送電部および前記第二送電部は、前記本体部に対して、前記第一方向に交差する第二方向に向けてスライド可能である
非接触充電装置。
【請求項２】
前記本体部および前記送電部の一方には、前記送電部が前記本体部に対してスライドするためのガイドとなる、前記第二方向に沿って形成される第一溝部が形成されており、
前記本体部および前記送電部の他方には、前記溝部に嵌合する凸部が形成されている
請求項１に記載の非接触充電装置。
【請求項３】
さらに、
前記送電部が前記本体部に対してスライドしていない場合における前記送電部の前記本体部に対する基準位置から、前記送電部が前記本体部に対してスライドするほど大きな力を、前記基準位置に近づく方向に向けて前記送電部および前記本体部に対して加える第一バネを備え、
前記送電部および前記本体部には、前記送電部が前記本体部に対してスライドしている状態を維持するためのスライド維持部が形成されている
請求項２に記載の非接触充電装置。
【請求項４】
前記本体部および前記送電部の一方には、さらに、前記第一溝部の前記第二方向側の端部から前記第一溝部に連続して形成され、かつ、前記第二方向に交差する方向に少なくとも前記凸部の幅の分だけ延びる第二溝部が形成されており、
前記凸部は、前記第二溝部に嵌合することにより、前記スライド維持部として機能する
請求項３に記載の非接触充電装置。
【請求項５】
前記送電部は、さらに、前記凸部よりも前記第二方向側の位置において、前記第一送電部および前記第二送電部を互いに近づける方向に引きつけている、第二バネを有し、
前記凸部は、突出方向を軸として回転可能な形状に形成されている
請求項２から４のいずれか１項に記載の非接触充電装置。
【請求項６】
前記第一溝部は、前記本体部および前記第二送電部の一方に形成されており、
前記凸部は、前記本体部および前記第二送電部の他方に形成されており、
前記第二送電部は、前記凸部を中心にして前記本体部に対して回転可能であり、
前記本体部と前記第二送電部との間には、前記送電部がスライドしていない状態における前記凸部よりも前記第二方向の反対側において空間が設けられている
請求項５に記載の非接触充電装置。
【請求項７】
前記本体部は、前記第一送電部がスライドすることに連動して、前記第一送電部がスライドすることにより露出する前記本体部の第一面から前記第一送電部が存在していた方向に向けて突出する突出部を有する
請求項１から６のいずれか１項に記載の非接触充電装置。
【請求項８】
前記第一送電部および前記第二送電部の少なくとも一方には、前記第二方向側の端部の位置であって、前記本体部側の面に、ゴム材が設けられている
請求項１から７のいずれか１項に記載の非接触充電装置。
【発明の詳細な説明】
【技術分野】
【０００１】
本発明は、被充電装置に対して非接触で電力を供給することにより被充電装置を充電する非接触充電装置に関する。
【背景技術】
【０００２】
従来、非接触充電装置は、コイルを含む送電部を内蔵しており被充電装置を送電部の所定の載置面に載置することにより充電を行う（例えば特許文献１参照）。
【先行技術文献】
【特許文献】
【０００３】
【特許文献１】特開２０１３−９０５５７号公報
【発明の概要】
【発明が解決しようとする課題】
【０００４】
このような、非接触充電装置は、机の上などにそのままおくことにより配置する形態がほとんどであるが、机の上に設置する場合には、作業の邪魔になりやすく、比較的軽量なため作業中に接触したときに机の上から落下させてしまうという問題がある。また、被充電装置も軽量であるため、充電中に非接触充電装置の載置面から落下させてしまうという問題がある。
【０００５】
非接触充電装置から被充電装置を落下させてしまうことを防止するために面ファスナーなどを利用して、着脱自在に構成することが考えられるが、被充電装置ごとに面ファスナーを取り付ける必要があるなど手間がかかるという問題がある。
【０００６】
そこで、本発明は、このような状況に鑑みてなされたものであり、簡単な構造で任意の場所に固定することができる非接触充電装置を提供することを目的とする。
【課題を解決するための手段】
【０００７】
上記目的を達成するために、被充電装置に対して非接触で電力を供給するための非接触充電装置であって、外部から電力を取得する本体部と、前記本体部において取得された電力を前記被充電装置に送電するためのコイルを有する送電部と、を備え、前記送電部は、前記コイルが設けられ、かつ、当該コイルに対応する位置に前記被充電装置を載置するための載置面を有する第一送電部と、前記本体部を前記第一方向に前記第一送電部とともに挟み込む第二送電部と、を有し、前記第一送電部および前記第二送電部は、前記本体部に対して、前記第一方向に交差する第二方向に向けてスライド可能である。
【０００８】
これによれば、送電部を構成する第一送電部および第二送電部が本体部に対して同一の方向にスライド可能な構成であるため、第一送電部および第二送電部が本体部に対してスライドした状態で、第一送電部および第二送電部の間に空間を生じさせることができる。これにより、第一送電部および第二送電部の間に、例えば、机の天板などの板状の部材を挟み込ませることができる。このため、非接触充電装置を、例えば、机の天板などの板状の部材に固定させることができる。
【０００９】
また、コイルが設けられる第一送電部を、電力を取得する本体部から分離して構成しているため、例えば、机の天板などの板状の部材に非接触充電装置を固定した場合においても、机の天板の上に飛び出る物体を第一送電部のみとすることができる。このため、例えば非接触充電装置を机に設置した場合であっても、最低限の構成のみを机の上に配置させることになるため、極力作業の邪魔にならない構成とすることができる。
【００１０】
また、例えば、前記本体部および前記送電部の一方には、前記送電部が前記本体部に対してスライドするためのガイドとなる、前記第二方向に沿って形成される第一溝部が形成されており、前記本体部および前記送電部の他方には、前記溝部に嵌合する凸部が形成されていてもよい。
【００１１】
これによれば、本体部および送電部には、第二方向に沿ってスライドするためのガイドとなる第一溝部および凸部が形成されているため、簡単な構造で送電部が本体部に対して第二方向に沿ってスライドすることを実現できる。
【００１２】
また、例えば、さらに、前記送電部が前記本体部に対してスライドしていない場合における前記送電部の前記本体部に対する基準位置から、前記送電部が前記本体部に対してスライドするほど大きな力を、前記基準位置に近づく方向に向けて前記送電部および前記本体部に対して加える第一バネを備え、前記送電部および前記本体部には、前記送電部が前記本体部に対してスライドしている状態を維持するためのスライド維持部が形成されていてもよい。
【００１３】
これによれば、送電部がスライドしたときに、送電部が本体部に対する基準位置に近づくように送電部および本体部に力を加える第一バネが設けられているため、スライド維持部によるスライドしている状態の維持を解除することのみで、送電部を本体部に対する基準位置に容易に戻すことができる。
【００１４】
また、例えば、前記本体部および前記送電部の一方には、さらに、前記第一溝部の前記第二方向側の端部から前記第一溝部に連続して形成され、かつ、前記第二方向に交差する方向に少なくとも前記凸部の幅の分だけ延びる第二溝部が形成されており、前記凸部は、前記第二溝部に嵌合することにより、前記スライド維持部として機能してもよい。
【００１５】
これによれば、第一溝部の第二方向側の端部において、第一溝部に連続して形成され、かつ、第二方向に交差する方向に延びる第二溝部が形成されているため、凸部が第二溝部に嵌合した状態となれば、第一バネ部による力が加えられていても、送電部が本体部からスライドしている状態を維持することができる。つまり、第二溝部は、第一バネ部による力の方向である第二方向に交差する方向に延びているため、凸部が第二溝部に嵌合すれば、第一バネ部による力が加えられても凸部が第二方向に沿って移動することを規制できる。このため、送電部が本体部からスライドしている状態を維持することができる。
【００１６】
また、例えば、前記送電部は、さらに、前記凸部よりも前記第二方向側の位置において、前記第一送電部および前記第二送電部を互いに近づける方向に引きつけている、第二バネを有し、前記凸部は、突出方向を軸として回転可能な形状に形成されていてもよい。
【００１７】
これによれば、第一送電部および第二送電部の少なくとも一方は、第二バネが力を加えている位置が本体部よりも第二方向の外側にスライドしたときに、第二バネにより加えられている力により凸部を中心として第一送電部および第二送電部の第二方向側の端部が互いに近づく方向に本体部に対して回転する。このため、第一送電部および第二送電部により挟み込む対象物の幅が本体部の幅よりも小さいものであっても、第一送電部および第二送電部の第二方向側の端部により第二バネによる力を加えた状態で挟み込むことができる。つまり、第一送電部および第二送電部により挟み込む対象物を第二バネの力により挟み込んで固定することができる。
【００１８】
また、例えば、前記第一溝部は、前記本体部および前記第二送電部の一方に形成されており、前記凸部は、前記本体部および前記第二送電部の他方に形成されており、前記第二送電部は、前記凸部を中心にして前記本体部に対して回転可能であり、前記本体部と前記第二送電部との間には、前記送電部がスライドしていない状態における前記凸部よりも前記第二方向の反対側において空間が設けられていてもよい。
【００１９】
これによれば、第二送電部が本体部に対して凸部を中心にして回転可能であり、本体部と第二送電部との間であって、凸部よりも第二方向の反対側において空間が設けられている。このため、送電部が本体部に対してスライドしていない状態であっても、当該空間に対応する位置において第一送電部および第二送電部の外側から力を加えれば、第二送電部を本体部に対して回転させることができる。つまり、送電部が本体部に対してスライドしていない状態で、第二送電部が当該空間を縮小する方向に回転するため、非接触充電装置の第二方向側の端部において第一送電部および第二送電部の間隔を広げることができる。これにより、第一送電部および第二送電部により挟み込む対象物の幅が本体部の幅よりも大きいものであっても、第一送電部および第二送電部により挟み込むことが容易にできる。
【００２０】
また、例えば、前記本体部は、前記第一送電部がスライドすることに連動して、前記第一送電部がスライドすることにより露出する前記本体部の第一面から前記第一送電部が存在していた方向に向けて突出する突出部を有してもよい。
【００２１】
これによれば、第一送電部がスライドすることに連動して、本体部の第一面から突出する突出部が設けられているため、被充電装置を載置面に載置しており、作業中の何らかの動作で被充電装置に接触したときであっても、被充電装置が第二方向とは反対側に移動することを突出部により防ぐことができる。つまり、突出部により、挟み込む対象物が存在する第二方向側への移動は許容するが、第二方向の反対側への移動を防ぐことができるため、少なくとも被充電装置が挟み込む対象物または非接触充電装置から落下することを防ぐことができる。
【００２２】
また、例えば、前記第一送電部および前記第二送電部の少なくとも一方には、前記第二方向側の端部の位置であって、前記本体部側の面に、ゴム材が設けられていてもよい。
【００２３】
このため、挟み込む対象物を第一送電部および第二送電部で挟み込んだときに、第一送電部および第二送電部が挟み込む対象物から滑ることを抑制することができる。つまり、弾性部材を設けることにより、非接触充電装置は、対象物に対してしっかりと固定できる。
【発明の効果】
【００２４】
本発明に係る非接触充電装置によれば、任意の場所に容易に固定することができる。
【図面の簡単な説明】
【００２５】
【図１】本発明の実施の形態１に係る非接触充電装置の外観斜視図である。
【図２】非接触充電装置を机の天板に設置したときの外観を示す外観斜視図である。
【図３Ａ】第二送電部を図１および図２とは反対側から視た場合のスライドの軸となる凸部周辺の拡大図である。
【図３Ｂ】本体部の下部に形成される、スライドのガイドとなる溝部に対して、第二送電部の凸部がスライドすることを説明するための拡大図である。
【図４】机の天板に把持された状態の非接触充電装置をＹ軸方向から視た場合の図である。
【図５】本体部の内部に設けられる、被充電装置２がＸ軸マイナス方向側に落下することを防止するための、突出部を本体部の開口部から突出させる落下防止機構について説明するための図である。
【図６】非接触充電装置が本体部のＺ軸方向の幅よりも大きい幅を有する部材を挟み込むことが容易な構成であることを説明するための図である。
【図７】本発明の実施の形態２に係る非接触充電装置の外観斜視図である。
【図８】実施の形態２に係る非接触充電装置の断面図である。
【発明を実施するための形態】
【００２６】
以下、実施の形態について、図面を参照しながら説明する。なお、以下で説明する実施の形態は、いずれも本発明の好ましい一具体例を示すものである。以下の実施の形態で示される数値、形状、材料、構成要素、構成要素の配置位置および接続形態などは、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。
【００２７】
（実施の形態１）
まず、非接触充電装置１の構成について、説明する。
【００２８】
図１は、本発明の実施の形態１に係る非接触充電装置の外観斜視図である。図２は、非接触充電装置を机の天板に設置したときの外観を示す外観斜視図である。
【００２９】
なお、これらの図では、第一方向としてのＺ軸方向を上下方向として示しており、以下ではＺ軸方向を上下方向として説明するが、使用態様によってはＺ軸方向が上下方向にならない場合も考えられるため、Ｚ軸方向は上下方向となることには限定されない。以下の図においても、同様である。
【００３０】
非接触充電装置１は、被充電装置２に対して非接触で電力を供給するための装置である。例えば、非接触充電装置１は、非接触充電方式による充電に対応している、スマートフォンなどの携帯端末および持ち運び可能なモバイルバッテリー、非接触充電方式に対応していない携帯端末へ非接触充電方式で受電した電力を供給可能なアダプタなどの機器である被充電装置２に対して送電可能な装置である。
【００３１】
図１および図２に示すように、非接触充電装置１は、基板１０と、本体部２０と、コイル３０と、送電部４０と、電源ケーブル７０とを備える。基板１０は、外部からの電力を取得する。
【００３２】
本体部２０は、基板１０を収容し、例えば、樹脂材料により形成される箱型の筐体である。コイル３０は、基板において取得された電力を被充電装置２に送電するためのコイルである。つまり、コイル３０は、基板１０によって取得された電力を取得して、所定の位置に配置された被充電装置２に当該電力を電磁誘導により送電する。
【００３３】
送電部４０は、本体部２０に対してＺ軸方向に並んで配置され、コイル３０が設けられる。送電部４０は、第一送電部４１と第二送電部４２とを有する。第一送電部４１は、コイル３０が設けられ、かつ、当該コイル３０に対応する位置に被充電装置２を載置するための載置面Ａ１を有する。第二送電部４２は、本体部２０をＺ軸方向に第一送電部４１とともに挟み込む。第一送電部４１および第二送電部４２は、両方ともが本体部２０に対して、Ｚ軸方向に交差する第二方向としてのＸ軸プラス方向側に向けてスライド可能である。なお、第一送電部４１は、本体部２０の上方に設けられ、机の天板３などに設置された状態でその上面が水平面に平行な載置面Ａ１である。
【００３４】
図３Ａは、第二送電部を図１および図２とは反対側から視た場合のスライドの軸となる凸部周辺の拡大図である。図３Ｂは、本体部の下部に形成される、スライドのガイドとなる溝部に対して、第二送電部の凸部がスライドすることを説明するための拡大図である。
【００３５】
本体部２０には、図３Ｂに示すように、送電部４０の第二送電部４２が本体部２０に対してスライドするためのガイドとなる、Ｘ軸方向に沿って形成される第一溝部５１が形成されている。また、第二送電部４２には、図３Ａに示すように、本体部２０に形成される第一溝部５１に対向する位置において、第一溝部５１に嵌合する凸部４３が形成されている。つまり、第二送電部４２は、凸部４３が第一溝部５１をガイドとして第一溝部５１に沿ってスライドすることにより、本体部２０に対してＸ軸プラス方向側に移動することができる。
【００３６】
図４は、机の天板に把持された状態の非接触充電装置をＹ軸方向から視た場合の図である。
【００３７】
図１、図２および図４に示すように、送電部４０は、さらに、第一送電部４１および第二送電部を接続する第二バネとしてのＣ字型のバネ６１を有する。バネ６１は、送電部４０のＹ軸方向の両端にそれぞれ設けられ、凸部４３よりもＸ軸プラス方向側の位置にある第一送電部４１の第一当接部４４と第二送電部４２の第二当接部４５とにおいて、第一送電部４１および第二送電部４２を互いに近づける方向に引きつけている。つまり、バネ６１は、凸部４３を軸として、第一送電部４１の第一当接部４４および第二送電部４２の第二当接部４５に対して、第一送電部４１および第二送電部４２を互いに近づける方向（図４の矢印を参照）に力を加えている。なお、第二当接部４５は、図３Ａに示すような、バネ６１の先端が当接するための部分である。なお、凸部４３は、Ｙ軸方向に沿って延びる円柱形状であることが好ましい。なお、凸部４３は、円柱形状に限らずに、その突出方向を軸として回転可能な形状に形成されていればよい。
【００３８】
また、図１、図２および図４に示すように、本体部２０のＺ軸マイナス方向側の底面２３は、Ｘ軸マイナス方向側において、Ｘ軸マイナス方向側に行くほど本体部２０のＺ軸プラス方向側の上面２４に近づくように形成されている。つまり、本体部２０と第二送電部４２との間には、送電部４０がスライドしていない状態における凸部４３よりもＸ軸マイナス方向側において空間Ｓ１が設けられている。
【００３９】
また、図１および図４に示すように、送電部４０の第一送電部４１および第二送電部４２には、そのＸ軸プラス方向側の端部の位置であって、本体部２０側の面のそれぞれに、ゴム材４１ａ、４２ａが設けられている。なお、第一送電部４１および第二送電部４２のＸ軸プラス方向側の端部の位置であって、本体部２０側の面のそれぞれに、設けられる部材は、ゴム材４１ａ、４２ａに限らずに、挟み込む対象物との摩擦係数が大きなものであれば、他の部材を利用してもよい。
【００４０】
（落下防止機構）
図５は、本体部の内部に設けられる、被充電装置２がＸ軸マイナス方向側に落下することを防止するための、突出部を本体部の開口部から突出させる落下防止機構について説明するための図である。図５の（ａ）は、図１におけるＶ−Ｖ断面図であり、図５の（ｂ）は、図２におけるＶ−Ｖ断面図である。つまり、図５の（ａ）は、非接触充電装置１がスライドしていないときの落下防止機構２２を説明するための断面図であり、図５の（ｂ）は、非接触充電装置１がスライドしているときの落下防止機構２２を説明するための断面図である。
【００４１】
落下防止機構２２は、図５に示すように、Ｌ字型の部材であり、突出部２２ａと、回転部２２ｂと、回転軸２２ｃと、トーションバネ２２ｄとにより構成される。落下防止機構２２の回転部２２ｂは、突出部２２ａに連続しており、突出部２２ａに対して直交する方向に延びる。落下防止機構２２は、回転軸２２ｃを軸として本体部２０に対して回転可能に構成される。例えば、回転軸２２ｃは、Ｙ軸方向に延びる円柱形状のボス部であり、本体部２０に形成されるボス部に嵌合される凹部を有する支持部（図示せず）により、回転可能な状態で支持される。
【００４２】
落下防止機構２２は、送電部４０が本体部２０に対してスライドしていない場合には、図５の（ａ）に示すように、突出部２２ａが本体部２０の内部に収容された状態であり、トーションバネ２２ｄにより回転部２２ｂに対して回転軸２２ｃを軸として右方向に回転する力が加えられている。つまり、落下防止機構２２は、送電部４０が本体部２０に対してスライドしていない場合には、本体部２０の載置面Ａ１に設けられる開口部２１（図２を参照）が第一送電部４１により閉塞された状態であるため、突出部２２ａの先端が第一送電部４１に押さえつけられ、突出部２２ａは開口部２１より突出しない。
【００４３】
一方で、落下防止機構２２は、送電部４０が本体部２０に対してスライドした場合には開口部２１が開放された状態となるため、突出部２２ａに対する押さえつけが開放される。これにより、図５の（ｂ）に示すように、落下防止機構２２は、回転軸２２ｃを軸として右回転し、開口部２１から突出部２２ａが突出する。つまり、本体部２０は、第一送電部４１がスライドすることに連動して、第一送電部４１がスライドすることにより露出する本体部２０の第一面としての上面２４から第一送電部４１が存在していた方向（Ｚ軸プラス方向側）に向けて突出する突出部２２ａを有する。
【００４４】
（特徴）
（１）
本実施の形態１に係る非接触充電装置１によれば、送電部４０を構成する第一送電部４１および第二送電部４２が本体部２０に対して同一の方向（Ｘ軸プラス方向）にスライド可能な構成であるため、第一送電部４１および第二送電部４２が本体部２０に対してスライドした状態で、第一送電部４１および第二送電部４２の間に空間を生じさせることができる。これにより、第一送電部４１および第二送電部４２の間に、例えば、机の天板３などの板状の部材を挟み込ませることができる。このため、非接触充電装置１を、例えば、机の天板３などの板状の部材に固定させることができる。
【００４５】
また、コイル３０が設けられる第一送電部４１を基板１０が収容される本体部２０から分離して構成しているため、例えば、机の天板３などの板状の部材に非接触充電装置１を固定した場合においても、机の天板３の上に飛び出る物体を第一送電部４１のみとすることができる。コイル３０の厚みは十分に薄くすることが可能であるため、第一送電部４１の厚みを第一送電部４１の強度を確保できるだけの厚みとすれば、例えば非接触充電装置１を机に設置した場合であっても、最低限の構成である送電機能を有するコイル３０が含まれる第一送電部４１のみを机の上に配置させることになる。このため、非接触充電装置１を机に配置しても、極力作業の邪魔にならない構成とすることができる。
【００４６】
（２）
また、本実施の形態１に係る非接触充電装置１によれば、本体部２０には、Ｘ軸方向に沿ってスライドするためのガイドとなる第一溝部５１が形成されており、送電部４０の第二送電部４２には、第一溝部５１と嵌合する凸部４３が形成されているため、簡単な構造で送電部４０が本体部２０に対してＸ軸方向に沿ってスライドすることを実現できる。
【００４７】
（３）
また、本実施の形態１に係る非接触充電装置１によれば、第一送電部４１および第二送電部４２の少なくとも一方は、Ｃ字型のバネ６１が力を加えている位置が本体部よりもＸ軸プラス方向の外側の位置にスライドしたときに、バネ６１により加えられている力により凸部４３を中心として第一送電部４１および第二送電部４２のＸ軸プラス方向側の端部が互いに近づく方向に本体部２０に対して回転する。このため、第一送電部４１および第二送電部４２により挟み込む対象物の幅が本体部の幅よりも小さいものであっても、第一送電部４１および第二送電部４２のＸ軸プラス方向側の端部によりバネ６１による力を加えた状態で挟み込むことができる。つまり、第一送電部４１および第二送電部４２により挟み込む対象物をバネ６１の力により挟み込んで固定することができる。
【００４８】
（４）
また、本実施の形態１に係る非接触充電装置１によれば、第二送電部４２が本体部２０に対して凸部４３を中心にして回転可能であり、本体部２０と第二送電部４２との間であって、凸部４３よりもＸ軸マイナス方向側において空間Ｓ１が設けられている。このため、送電部４０が本体部２０に対してスライドしていない状態であっても、例えば図６に示すように、当該空間Ｓ１に対応する位置において第一送電部４１および第二送電部４２のＺ軸方向の外側から力を加えれば、第二送電部４２を本体部２０に対して回転させることができる。つまり、送電部４０が本体部２０に対してスライドしていない状態で、第二送電部４２が当該空間Ｓ１を縮小する方向に回転（つまり、図６における右回転）するため、非接触充電装置１のＸ軸プラス方向側の端部において第一送電部４１および第二送電部４２の間隔を本体部２０のＺ軸方向の幅ｈ１よりも広げることができる。これにより、第一送電部４１および第二送電部４２により挟み込む対象物である机の天板３ａの幅ｈ２が本体部２０の幅ｈ１よりも大きいものであっても、第一送電部４１および第二送電部４２により挟み込むことが容易にできる。
【００４９】
なお、図６は、非接触充電装置が本体部のＺ軸方向の幅よりも大きい幅を有する部材を挟み込むことが容易な構成であることを説明するための図である。図６の（ａ）は、送電部４０が本体部２０に対してスライドしていない状態で、第二送電部４２が本体部２０に対して回転可能であることを説明するための図である。図６の（ｂ）は、本体部２０のＺ軸方向の幅ｈ１よりも大きい幅ｈ２を有する机の天板３ａに非接触充電装置１を挟み込んだときの状態を示す図である。
【００５０】
（５）
また、本実施の形態１に係る非接触充電装置１によれば、第一送電部４１がスライドすることに連動して、本体部２０の第一面である上面２４から突出する突出部２２ａが設けられているため、被充電装置２を載置面Ａ１に載置しており、作業中の何らかの動作で被充電装置２に接触したときであっても、被充電装置２がＸ軸マイナス方向側に移動することを突出部２２ａにより防ぐことができる。つまり、突出部２２ａにより、挟み込む対象物である机の天板３が存在するＸ軸プラス方向側への被充電装置２の移動は許容するが、机の天板３が存在しないＸ軸マイナス方向側への移動を防ぐことができるため、少なくとも被充電装置２が机の天板３または非接触充電装置１から落下することを防ぐことができる。
【００５１】
（６）
また、本実施の形態１に係る非接触充電装置１によれば、第一送電部４１および第二送電部４２には、Ｘ軸プラス方向側の端部の位置であって、本体部２０側の面に、ゴム材４１ａ、４２ａが設けられている。このため、挟み込む対象物である机の天板３を第一送電部４１および第二送電部４２で挟み込んだときに、第一送電部４１および第二送電部４２が机の天板３から滑ることを抑制することができる。つまり、ゴム材を第一送電部４１および第二送電部４２のＸ軸プラス方向側の端部であって、本体部２０側に設けることにより、非接触充電装置１を机の天板３に対してしっかりと固定できる。
【００５２】
（変形例）
（１）
上記実施の形態１に係る非接触充電装置１では、本体部２０に形成される第一溝部５１に第二送電部４２に形成される凸部４３が嵌合することにより、第二送電部４２が本体部２０のＸ軸方向に沿ってスライド可能に構成されているが、これに限らない。例えば、第二送電部４２にＸ軸方向に沿った第一溝部が形成され、かつ、本体部２０に当該第一溝部に嵌合する凸部が形成されることにより、第二送電部が本体部に対してスライド可能に構成されてもよい。また、第二送電部が本体部に対してスライド可能に構成されていなくてもよく、第一送電部が本体部に対してスライド可能に構成されていてもよい。この場合のスライドを実現するための構成は、本体部および第二送電部に対する構成と同様のものが考えられる。
【００５３】
また、例えば、第一送電部と第二送電部とのそれぞれが本体部に対してスライド可能に構成されてもよい。この場合には、第一送電部および第二送電部がバネ６１により接続されていなくてもよく、例えば、Ｘ軸方向に沿って形成される線状に突出する凸部が第一送電部および第二送電部に形成され、第一送電部の凸部および第二送電部の凸部のそれぞれに嵌合する複数の溝部が本体部に形成される構成が考えられる。この場合には、第一送電部および第二送電部が本体部の幅を維持したままＸ軸方向にスライドできるため、例えば、本体部の幅と一致するような机の天板であればしっかりと保持させることができる。
【００５４】
（２）
また、上記実施の形態１に係る非接触充電装置１では、第一送電部４１および第二送電部４２がバネ６１により接続されているが、これに限らない。
【００５５】
例えば、第一送電部および第二送電部が本体部のＹ軸方向の外側において、接続される形態であってもよい。この場合には、第一送電部および第二送電部の一方にＹ軸方向に沿って延びる凸部が形成され、他方に当該凸部に嵌合する凹部が形成されてもよい。このように、凸部および凹部が形成されることにより、上記実施の形態１と同様に、当該凸部および凹部を軸として第二送電部が第一送電部（本体部）に対して回転することが可能になる。なお、この場合であっても、第一送電部および第二送電部の、当該凸部および凹部よりもＸ軸プラス方向側の位置をＣ字型のバネを設けることにより、第一送電部および第二送電部を互いに近づける方向に力を加えれば、上記実施の形態１と同様の効果を得られる。
【００５６】
（実施の形態２）
図７は、本発明の実施の形態２に係る非接触充電装置の外観斜視図である。図８は、実施の形態２に係る非接触充電装置の断面図である。
【００５７】
本実施の形態２に係る非接触充電装置１ａでは、図７に示すように、本体部２０ａに第一溝部５１のＸ軸プラス方向側の端部から第一溝部５１に連続して形成され、かつ、Ｚ軸方向に少なくとも凸部４３の幅の分だけ延びる第二溝部５２が形成されていることが、実施の形態１とは異なる。また、本体部２０ａの内部において、本体部２０に形成される第一保持部２６と第一送電部４１に形成される第二保持部４６との間隔が所定間隔ｄ１を維持するように引っ張る第一バネとしての引きバネ２５を備えることが異なる。
【００５８】
つまり、引きバネ２５は、送電部４０が本体部２０ａに対してスライドしていない場合における送電部４０の本体部２０ａに対する基準位置から、送電部４０が本体部２０ａに対してスライドするほど大きな力を、基準位置に近づく方向に向けて加える。ここでいう、基準位置とは、第一保持部２６と第二保持部４６との間隔が所定間隔ｄ１となる場合であって、第一送電部４１および第二送電部４２のＸ軸方向の両端の位置が本体部２０ａのＸ軸方向の両端の位置と一致している場合の送電部４０の本体部２０ａに対する位置である。また、第一溝部５１に加えて第二溝部５２が形成されているため、第二送電部４２の凸部４３を第一溝部５１のＸ軸プラス方向側の端部までスライドさせた状態で、第二溝部５２に嵌合させる方向にスライドさせれば、引きバネ２５により力が加えられた状態であっても、送電部４０が本体部２０ａからＸ軸プラス方向側にスライドした状態を維持することができる。つまり、凸部４３は、第二溝部５２に嵌合することにより、スライド維持部として機能する。
【００５９】
なお、実施の形態２に係る非接触充電装置１ａのその他の構成は、実施の形態１に係る非接触充電装置１の構成と同じであるため、非接触充電装置１と同一の符号を付し、その説明を省略する。
【００６０】
（特徴）
（１）
本実施の形態２に係る非接触充電装置１ａによれば、送電部４０が本体部２０ａに対してスライドしたときに、送電部４０が本体部２０ａに対する基準位置に近づくように送電部４０および本体部２０ａに力を加える引きバネ２５が設けられているため、スライド維持部によるスライドしている状態の維持を解除する（つまり、凸部４３を第二溝部５２から第一溝部５１に移動させる）ことのみで、送電部４０を本体部２０ａに対する基準位置に容易に戻すことができる。
【００６１】
（２）
また、本実施の形態２に係る非接触充電装置１ａによれば、第一溝部５１のＸ軸プラス方向側の端部において、第一溝部５１に連続して形成され、かつ、Ｘ軸方向に交差するＺ軸方向に延びる第二溝部５２が形成されているため、凸部４３が第二溝部５２に嵌合した状態となれば、引きバネ２５による力が加えられていても、送電部４０が本体部２０ａからＸ軸プラス方向側にスライドしている状態を維持することができる。つまり、第二溝部５２は、引きバネ２５による力の方向であるＸ軸方向に交差する方向であるＺ軸方向に延びているため、凸部４３が第二溝部５２に嵌合すれば、引きバネ２５による力が加えられても凸部４３がＸ軸方向に沿って移動することを規制できる。このため、送電部４０が本体部２０ａからスライドしている状態を維持することができる。
【００６２】
（他の実施の形態）
なお、本実施の形態１および２に係る非接触充電装置１、１ａは、第一送電部４１および第二送電部４２により挟み込む対象物が水平方向に平行な板状部材であるが、これに限らない。例えば、鉛直方向に平行な板状部材であってもよい。なお、このような場合には、コイルが設けられる第一送電部の下端に水平方向に延びる板状部材を設けることで、当該板状部材を被充電装置の載置面とすることができる。
【産業上の利用可能性】
【００６３】
本発明は、任意の場所に容易に固定することができ、かつ、携帯端末、モバイルバッテリーなどに非接触で電力を供給できる非接触充電装置として有用である。
【符号の説明】
【００６４】
１、１ａ    非接触充電装置
２    被充電装置
３、３ａ    天板
１０    基板
２０、２０ａ    本体部
２１    開口部
２２    落下防止機構
２２ａ    突出部
２２ｂ    回転部
２２ｃ    回転軸
２２ｄ    トーションバネ
２３    底面
２４    上面
２５    引きバネ
２６    第一保持部
３０    コイル
４０    送電部
４１    第一送電部
４１ａ    ゴム材
４２    第二送電部
４２ａ    ゴム材
４３    凸部
４４    第一当接部
４５    第二当接部
４６    第二保持部
５１    第一溝部
５２    第二溝部
６１    バネ
７０    電源ケーブル
Ａ１    載置面
Ｓ１    空間
【図１】
2015019473.tif 000003
【図２】
2015019473.tif 000004
【図３Ａ】
2015019473.tif 000005
【図３Ｂ】
2015019473.tif 000006
【図４】
2015019473.tif 000007
【図５】
2015019473.tif 000008
【図６】
2015019473.tif 000009
【図７】
2015019473.tif 000010
【図８】
2015019473.tif 000011